【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
相互に対向して配置された第１基板及び第２基板と、
前記第２基板に対向した前記第１基板の対向面と前記第１基板に対向した前記第２基板の対向面との間に保持される液晶と、
前記第１基板及び前記第２基板の夫々の前記対向面の複数部位には複数の画素が配置され、前記第１基板の前記対向面上で前記複数の画素に対応している複数の画素電極と、
前記第２基板の前記対向面上で、前記第１基板の前記対向面上の前記複数の画素電極に対向された対向電極と、
前記第１基板の前記対向面上で前記複数の画素電極に対応して配置された複数の薄膜トランジスタと、
前記第１基板の前記対向面上で前記複数の画素に沿う複数の位置において夫々が突出端に接点を有する複数の部分と、
前記第１基板の前記対向面上で前記複数の画素に沿い、前記複数の部分の前記複数の位置とは異なる複数の位置の複数の土台と、
前記第２基板の前記対向面上で、前記第１基板の前記対向面上の前記複数の部分の前記接点に対向した複数の第１の位置に形成された複数の接点用突起と、
前記第２基板の前記対向面上で、前記第１基板の前記対向面上の前記複数の土台に対向した複数の第２位置に形成された複数の柱状スペーサと、
を備えており、
前記第１基板の前記対向面からの前記複数の土台の夫々の高さは前記第１基板の前記対向面からの前記複数の部分の夫々の前記接点の高さよりも高く、
前記第２基板の前記対向面上の前記複数の柱状スペーサの突出端が前記第１基板の前記対向面上の対応する前記複数の土台の突出端に載置されることにより、前記第１基板と前記第２基板との間には所定の隙間が設定されるとともに、前記第１基板の前記複数の部分の前記接点と前記第２基板の前記複数の接点用突起の突出端との間には前記所定の隙間よりも短い別の所定の隙間が提供される、
ことを特徴とする接点内蔵型タッチ式液晶表示装置。
【請求項２】
前記複数の土台の夫々は、前記第１基板の前記対向面に前記複数の薄膜トランジスタの夫々を形成する為の製造方法を含む製造方法で形成された部分上に高さ調整部分が形成されることにより形成されている、ことを特徴とする請求項１に記載の接点内蔵型タッチ式液晶表示装置。
【請求項３】
前記複数の土台の夫々において、前記第１基板の前記対向面に前記複数の薄膜トランジスタの夫々を形成する為の製造方法を含む製造方法で形成された部分は、前記第１基板の前記対向面に、前記薄膜トランジスタのゲート線と同じ導電材料の部分，前記薄膜トランジスタのゲート絶縁膜と同じ材料の第１絶縁膜，前記薄膜トランジスタの真性シリコン層と同じ材料の真性シリコン層，前記薄膜トランジスタのチャネル保護層と同じ材料の第２絶縁膜，前記薄膜トランジスタのｎ＋真性シリコン層と同じ材料のｎ＋真性シリコン層，前記薄膜トランジスタのドレイン線及びソース線と同じ材料の導電性金属膜，前記薄膜トランジスタのオーバーコート絶縁層と同じ材料の第３絶縁膜，そして前記薄膜トランジスタのドレイン線に電気的に接続される画素電極と同じ材料の透明な導電膜を積層することにより形成されている、ことを特徴とする請求項２に記載の接点内蔵型タッチ式液晶表示装置。
【請求項４】
前記複数の土台の夫々の前記高さ調整部分は、前記第１基板の前記対向面に前記複数の薄膜トランジスタの夫々を形成する為の製造方法を含む製造方法で形成された前記部分の前記透明な導電膜の上の第４絶縁膜により形成されている、ことを特徴とする請求項３に記載の接点内蔵型タッチ式液晶表示装置。
【請求項５】
前記第１基板の前記対向面上で前記複数の画素に沿う複数の位置において夫々が接点を有する前記複数の部分の夫々は、前記第１基板の前記対向面に前記複数の薄膜トランジスタの夫々を形成する為の製造方法を含む製造方法により形成されている、ことを特徴とする請求項１乃至４のいずれか１項に記載の接点内蔵型タッチ式液晶表示装置。
【請求項６】
前記第１基板の前記対向面上で前記複数の画素に沿う複数の位置において夫々が接点を有する前記複数の部分の夫々は、前記第１基板の前記対向面に、前記薄膜トランジスタのゲート線と同じ導電材料の部分，前記薄膜トランジスタのゲート絶縁膜と同じ材料の第１絶縁膜，前記薄膜トランジスタの真性シリコン層と同じ材料の真性シリコン層，前記薄膜トランジスタのチャネル保護層と同じ材料の第２絶縁膜，前記薄膜トランジスタのｎ＋真性シリコン層と同じ材料のｎ＋真性シリコン層，前記薄膜トランジスタのドレイン線及びソース線と同じ材料の導電性金属膜，前記薄膜トランジスタのオーバーコート絶縁層と同じ材料の第３絶縁膜，そして前記薄膜トランジスタのドレイン線に電気的に接続される画素電極と同じ材料の透明な導電膜を積層することにより形成されている、ことを特徴とする請求項５に記載の接点内蔵型タッチ式液晶表示装置。
【請求項７】
前記第２基板の前記対向面には前記複数の画素に対応した複数の開口を有する格子状の遮光膜が形成されていて、
前記第２基板の前記対向面の前記複数の接点用突起及び前記複数の柱状スペーサは、前記遮光膜上に形成されている、
ことを特徴とする請求項１乃至６のいずれか１項に記載の接点内蔵型タッチ式液晶表示装置。
【請求項８】
前記第２基板の前記対向面には前記複数の画素に対応して複数のカラーフィルターが形成されている、ことを特徴とする請求項７に記載の接点内蔵型タッチ式液晶表示装置。
【請求項９】
前記第２基板の前記対向面の前記対向電極は、前記第２基板の前記対向面の前記複数の接点用突起及び前記複数の柱状スペーサを覆っている、ことを特徴とする請求項１乃至８のいずれか１項に記載の接点内蔵型タッチ式液晶表示装置。
【請求項１０】
前記第１基板の前記対向面には、前記第１基板の前記対向面の前記複数の部分の夫々の前記接点及び前記複数の土台の突出端面を除き、第１配向膜が適用されている、ことを特徴とする請求項１乃至９のいずれか１項に記載の接点内蔵型タッチ式液晶表示装置。
【請求項１１】
前記第２基板の前記対向面の前記対向電極は、前記第２基板の前記対向面の前記複数の接点用突起の突出端及び前記複数の柱状スペーサの突出端を除く第２配向膜により覆われている、ことを特徴とする請求項１０に記載の接点内蔵型タッチ式液晶表示装置。
【請求項１２】
前記第２基板の前記対向面から前記複数の接点用突起及び前記複数の柱状スペーサの夫々は相互に同じ高さで突出している、ことを特徴とする請求項１乃至１１のいずれか１項に記載の接点内蔵型タッチ式液晶表示装置。
【請求項１３】
前記第１基板の前記対向面からの、前記第１基板の前記対向面上の前記複数の部分の夫々の前記突出端の高さは相互に同じであり、
前記第１基板の前記対向面からの、前記第１基板の前記対向面上の前記複数の土台の夫々の前記突出端の高さは相互に同じである、
ことを特徴としている請求項１乃至１２のいずれか１項に記載の接点内蔵型タッチ式液晶表示装置。
【手続補正２】
【補正対象書類名】明細書
【補正対象項目名】００３７
【補正方法】変更
【補正の内容】
【００３７】
上述したこの発明の目的を達成する為に、この発明に従った接点内蔵型タッチ式液晶表示装置は、相互に対向して配置された第１基板及び第２基板と、前記第２基板に対向した前記第１基板の対向面と前記第１基板に対向した前記第２基板の対向面との間に保持される液晶と、前記第１基板及び前記第２基板の夫々の前記対向面の複数部位には複数の画素が配置され、前記第１基板の前記対向面上で前記複数の画素に対応している複数の画素電極と、前記第２基板の前記対向面上で、前記第１基板の前記対向面上の前記複数の画素電極に対向された対向電極と、前記第１基板の前記対向面上で前記複数の画素電極に対応して配置された複数の薄膜トランジスタと、前記第１基板の前記対向面上で前記複数の画素に沿う複数の位置において夫々が突出端に接点を有する複数の部分と、前記第１基板の前記対向面上で前記複数の画素に沿い、前記複数の部分の前記複数の位置とは異なる複数の位置の複数の土台と、前記第２基板の前記対向面上で、前記第１基板の前記対向面上の前記複数の部分の前記接点に対向した複数の第１の位置に形成された複数の接点用突起と、前記第２基板の前記対向面上で、前記第１基板の前記対向面上の前記複数の土台に対向した複数の第２位置に形成された複数の柱状スペーサと、を備えており、前記第１基板の前記対向面からの前記複数の土台の夫々の高さは前記第１基板の前記対向面からの前記複数の部分の夫々の前記接点の高さよりも高く、前記第２基板の前記対向面上の前記複数の柱状スペーサの突出端が前記第１基板の前記対向面上の対応する前記複数の土台の突出端に載置されることにより、前記第１基板と前記第２基板との間には所定の隙間が設定されるとともに、前記第１基板の前記複数の部分の前記接点と前記第２基板の前記複数の接点用突起の突出端との間には前記所定の隙間よりも短い別の所定の隙間が提供される、ことを特徴としている。
【手続補正３】
【補正対象書類名】明細書
【補正対象項目名】００３８
【補正方法】変更
【補正の内容】
【００３８】
前述した如く構成されたことを特徴とするこの発明に従った接点内蔵型タッチ式液晶表示装置においては、前記複数の土台の夫々は、前記第１基板の前記対向面に前記複数の薄膜トランジスタの夫々を形成する為の製造方法を含む製造方法で形成された部分上に高さ調整部分が形成されることにより形成されている、ことが好ましい。
【手続補正４】
【補正対象書類名】明細書
【補正対象項目名】００３９
【補正方法】変更
【補正の内容】
【００３９】
前述した如く構成されたことを特徴とするこの発明に従った接点内蔵型タッチ式液晶表示装置においては、前記複数の土台の夫々において、前記第１基板の前記対向面に前記複数の薄膜トランジスタの夫々を形成する為の製造方法を含む製造方法で形成された部分は、前記第１基板の前記対向面に、前記薄膜トランジスタのゲート線と同じ導電材料の部分，前記薄膜トランジスタのゲート絶縁膜と同じ材料の第１絶縁膜，前記薄膜トランジスタの真性シリコン層と同じ材料の真性シリコン層，前記薄膜トランジスタのチャネル保護層と同じ材料の第２絶縁膜，前記薄膜トランジスタのｎ＋真性シリコン層と同じ材料のｎ＋真性シリコン層，前記薄膜トランジスタのドレイン線及びソース線と同じ材料の導電性金属膜，前記薄膜トランジスタのオーバーコート絶縁層と同じ材料の第３絶縁膜，そして前記薄膜トランジスタのドレイン線に電気的に接続される画素電極と同じ材料の透明な導電膜を積層することにより形成されている、ことが好ましい。
【手続補正５】
【補正対象書類名】明細書
【補正対象項目名】００４０
【補正方法】変更
【補正の内容】
【００４０】
さらに、前述した如く構成されたことを特徴とするこの発明に従った接点内蔵型タッチ式液晶表示装置においては、前記複数の土台の夫々の前記高さ調整部分は、前記第１基板の前記対向面に前記複数の薄膜トランジスタの夫々を形成する為の製造方法を含む製造方法で形成された前記部分の前記透明な導電膜の上の第４絶縁膜により形成されている、ことが好ましい。
【手続補正６】
【補正対象書類名】明細書
【補正対象項目名】００４１
【補正方法】変更
【補正の内容】
【００４１】
さらに、前述した如く構成されたことを特徴とするこの発明に従った接点内蔵型タッチ式液晶表示装置においては、前記第１基板の前記対向面上で前記複数の画素に沿う複数の位置において夫々が接点を有する前記複数の部分の夫々は、前記第１基板の前記対向面に前記複数の薄膜トランジスタの夫々を形成する為の製造方法を含む製造方法により形成されている、ことが好ましい。
前述した如く構成されたことを特徴とするこの発明に従った接点内蔵型タッチ式液晶表示装置においては、前記第１基板の前記対向面上で前記複数の画素に沿う複数の位置において夫々が接点を有する前記複数の部分の夫々は、前記第１基板の前記対向面に、前記薄膜トランジスタのゲート線と同じ導電材料の部分，前記薄膜トランジスタのゲート絶縁膜と同じ材料の第１絶縁膜，前記薄膜トランジスタの真性シリコン層と同じ材料の真性シリコン層，前記薄膜トランジスタのチャネル保護層と同じ材料の第２絶縁膜，前記薄膜トランジスタのｎ＋真性シリコン層と同じ材料のｎ＋真性シリコン層，前記薄膜トランジスタのドレイン線及びソース線と同じ材料の導電性金属膜，前記薄膜トランジスタのオーバーコート絶縁層と同じ材料の第３絶縁膜，そして前記薄膜トランジスタのドレイン線に電気的に接続される画素電極と同じ材料の透明な導電膜を積層することにより形成されている、ことが好ましい。
前述した如く構成されたことを特徴とするこの発明に従った接点内蔵型タッチ式液晶表示装置においては、前記第２基板の前記対向面には前記複数の画素に対応した複数の開口を有する格子状の遮光膜が形成されていて、前記第２基板の前記対向面の前記複数の接点用突起及び前記複数の柱状スペーサは、前記遮光膜上に形成されている、ことが好ましい。
前述した如く構成されたことを特徴とするこの発明に従った接点内蔵型タッチ式液晶表示装置においては、前記第２基板の前記対向面には前記複数の画素に対応して複数のカラーフィルターが形成されている、ことが好ましい。
前述した如く構成されたことを特徴とするこの発明に従った接点内蔵型タッチ式液晶表示装置においては、前記第２基板の前記対向面の前記対向電極は、前記第２基板の前記対向面の前記複数の接点用突起及び前記複数の柱状スペーサを覆っている、ことが好ましい。
前述した如く構成されたことを特徴とするこの発明に従った接点内蔵型タッチ式液晶表示装置においては、前記第１基板の前記対向面には、前記第１基板の前記対向面の前記複数の部分の夫々の前記接点及び前記複数の土台の突出端面を除き、第１配向膜が適用されている、ことが好ましい。
前述した如く構成されたことを特徴とするこの発明に従った接点内蔵型タッチ式液晶表示装置においては、前記第２基板の前記対向面の前記対向電極は、前記第２基板の前記対向面の前記複数の接点用突起の突出端及び前記複数の柱状スペーサの突出端を除く第２配向膜により覆われている、ことが好ましい。
前述した如く構成されたことを特徴とするこの発明に従った接点内蔵型タッチ式液晶表示装置においては、前記第２基板の前記対向面から前記複数の接点用突起及び前記複数の柱状スペーサの夫々は相互に同じ高さで突出している、ことが好ましい。
前述した如く構成されたことを特徴とするこの発明に従った接点内蔵型タッチ式液晶表示装置においては、前記第１基板の前記対向面からの、前記第１基板の前記対向面上の前記複数の部分の夫々の前記突出端の高さは相互に同じであり、前記第１基板の前記対向面からの、前記第１基板の前記対向面上の前記複数の土台の夫々の前記突出端の高さは相互に同じである、ことが好ましい。
【手続補正７】
【補正対象書類名】明細書
【補正対象項目名】００４２
【補正方法】変更
【補正の内容】
【００４２】
前述した如く構成されたことを特徴とするこの発明に従った接点内蔵型タッチ式液晶表示装置では、第１基板の対向面上で複数の画素に沿う複数の位置に夫々が突出端に接点を有する複数の部分を備え、また、第１基板の対向面上で複数の画素に沿い、前記複数の位置とは異なる複数の位置に複数の土台を備えている。さらに、第２基板の対向面上で、第１基板の対向面上の複数の部分の接点に対向した複数の第１の位置に複数の接点用突起が形成され、また、第２基板の対向面上で、第１基板の対向面上の複数の土台に対向した複数の第２位置に複数の柱状スペーサが形成されている。
【手続補正８】
【補正対象書類名】明細書
【補正対象項目名】００４４
【補正方法】変更
【補正の内容】
【００４４】
しかも、第１基板の対向面上で複数の画素に沿う複数の位置に夫々が突出端に接点を有する複数の部分を備えているので夫々を共通して同時に同じ高さに形成することが出来、また、第１基板の対向面上で複数の画素に沿い、前記複数の位置とは異なる複数の位置に複数の土台を備えているので、夫々を共通して同じ高さに形成することが出来る。
【手続補正９】
【補正対象書類名】明細書
【補正対象項目名】００４５
【補正方法】変更
【補正の内容】
【００４５】
そして、前記第１基板の前記対向面からの前記複数の土台の夫々の高さは前記第１基板の前記対向面からの前記複数の部分の夫々の前記接点の高さよりも高く、
前記第２基板の前記対向面上の前記複数の柱状スペーサの突出端が前記第１基板の前記対向面上の対応する前記複数の土台の突出端に載置されることにより、前記第１基板と前記第２基板との間には所定の隙間が設定されるとともに、前記第１基板の前記複数の部分の前記接点と前記第２基板の前記複数の接点用突起の突出端との間には前記所定の隙間よりも短い別の所定の隙間が提供される。